(57)【要約】【課題】スイッチギヤを含む電気設備の設置位置周辺の敷地を有効に活用すること。【解決手段】電気設備１００は、スイッチギヤ１０１と、スイッチギヤ１０１を嵩上げする嵩上架台１０２と、嵩上架台１０２によって嵩上げされたスイッチギヤ１０１の点検をおこなう際に、所定の高さに設けられる点検用架台１０３と、を備え、点検用架台１０３が、作業員または所定の機器を載置する板状部材１０４を、地面と略平行にする第１配置形態と、当該板状部材１０４を、地面と略垂直にしてスイッチギヤ１０１の壁面（扉１０５）に近づける第２配置形態とを切り替えて配置するので、点検しないときは、点検用架台１０３を折り畳むことができ、その分の空間を広げることができる。【選択図】図２
2020162332.tif 000002
【特許請求の範囲】
【請求項１】
スイッチギヤと、
前記スイッチギヤを嵩上げする嵩上部材と、
前記嵩上部材によって嵩上げされた前記スイッチギヤの点検をおこなう際に、所定の高さに設けられる点検用架台と、
を備え、
前記点検用架台は、作業員または所定の機器を載置する板状部材を、地面と略平行にする第１の配置形態と、当該板状部材を、地面と略垂直にして前記スイッチギヤの壁面に近づける第２の配置形態とを切り替えて配置することを特徴とする電気設備。
【請求項２】
前記板状部材の一辺を前記嵩上部材に、当該板状部材が当該一辺を軸として回動可能に取り付け、
前記板状部材を回動させることによって、前記第１の配置形態と前記第２の配置形態とを切り替えることを特徴とする請求項１に記載の電気設備。
【請求項３】
前記第１の配置形態において、前記板状部材が地面と略平行の状態を保つために、当該板状部材を支持する支持部材を備えたことを特徴とする請求項１または２に記載の電気設備。
【請求項４】
前記支持部材は、両端の一端を前記板状部材の他辺に取り付け、前記両端の他端を前記嵩上部材における前記板状部材の一辺の取り付け位置よりも下側に取り付けることを特徴とする請求項３に記載の電気設備。
【請求項５】
前記支持部材は、前記一端を前記板状部材の他辺に回動可能に取り付け、前記他端を前記嵩上部材に対して取り外し可能に取り付けることを特徴とする請求項４に記載の電気設備。
【請求項６】
前記第２の配置形態において、前記板状部材が地面と略垂直の状態を保つために、当該板状部材を固定する固定部材を備えたことを特徴とする請求項１〜５のいずれか一つに記載の電気設備。
【請求項７】
前記第１の配置形態において、前記板状部材の他辺に、地面と略垂直に取り付けられる落下防止用柵部材を備えたことを特徴とする請求項１〜６のいずれか一つに記載の電気設備。
【請求項８】
前記落下防止柵部材は、前記点検用架台に対して取り外し可能に取り付けることを特徴とする請求項７に記載の電気設備。
【請求項９】
前記第１の配置形態において、前記板状部材の長手方向の少なくともいずれか一方に、作業員が前記板状部材に上がるための梯子部材または階段部材を備えたことを特徴とする請求項１〜８のいずれか一つに記載の電気設備。
【請求項１０】
前記梯子部材または前記階段部材は、前記点検用架台に対して取り外し可能に取り付けることを特徴とする請求項９に記載の電気設備。
【発明の詳細な説明】
【技術分野】
【０００１】
この発明は、スイッチギヤを含む電気設備に関する。
【背景技術】
【０００２】
従来から、たとえば浸水対策のために、スイッチギヤ嵩上げ用架台を設置し、スイッチギヤの基礎の嵩上げをおこなう場合がある。この場合、嵩上げた分、スイッチギヤが高くなるので、点検の際には、地面に作業員が立っておこなうことはできない、あるいは、地面に立っておこなう作業は作業効率が低下する。したがって、スイッチギヤの点検をする際の点検用架台（足場）を、別途、設置する必要がある。
【０００３】
関連する技術として、具体的には、たとえば、ステージを常設し、簡易なメンテナンスの場合には、開閉扉を開扉することにより、作業者はステージ上でメンテナンスをおこなう。また、全面的なメンテナンスの場合には、作業者は開口部から電気装置の内部機器をステージ上に取り出し、パッケージハウスの外部で電気装置のメンテナンスをおこなう電気設備に関する技術がある（たとえば、下記特許文献１を参照。）。
【０００４】
また、関連する技術として、具体的には、たとえば、函体の平面形状は横長の矩形状とされ、函体の外側には、保守点検のための拡張床部材（作業床）が函体の全周囲に拡張して増設されている。拡張床部材は縞鋼板から製作され、函体の前後左右の側壁面を取り囲むように、函体と一体連結して設置されている高圧変電設備に関する技術がある（たとえば、下記特許文献２を参照。）。
【先行技術文献】
【特許文献】
【０００５】
【特許文献１】特開２０１６−４２７６０号公報
【特許文献２】特開２００３−９２８１１号公報
【発明の概要】
【発明が解決しようとする課題】
【０００６】
しかしながら、嵩上げしていないときは必要がなかった点検用架台を別途設置することによって、スイッチギヤの設置用の敷地のほかに、スイッチギヤに隣接する点検用架台設置のための敷地が余分に必要となる。それにより、施設全体の敷地面積を圧迫してしまうという問題点があった。具体的には、たとえば、架台用の敷地を設けることにより、車両通行用の通路が狭くなってしまい、水力機器搬入出にともなう車両などの大型車両の通行ができなくなるなどの場合がある。このように、スイッチギヤ嵩上げ用架台の設置にともなう点検用架台のための余計な敷地の占有が問題となる。
【０００７】
この発明は、上述した従来技術による問題点を解消するため、スイッチギヤを含む電気設備の設置位置周辺の敷地を有効に活用することを目的とする。
【課題を解決するための手段】
【０００８】
上述した課題を解決し、目的を達成するため、この発明にかかる電気設備は、スイッチギヤと、前記スイッチギヤを嵩上げする嵩上部材と、前記嵩上部材によって嵩上げされた前記スイッチギヤの点検をおこなう際に、所定の高さに設けられる点検用架台と、を備え、前記点検用架台が、作業員または所定の機器を載置する板状部材を、地面と略平行にする第１の配置形態と、当該板状部材を、地面と略垂直にして前記スイッチギヤの壁面に近づける第２の配置形態とを切り替えて配置することを特徴とする。
【０００９】
また、この発明にかかる電気設備は、上記発明において、前記板状部材の一辺を前記嵩上部材に、当該板状部材が当該一辺を軸として回動可能に取り付け、前記板状部材を回動させることによって、前記第１の配置形態と前記第２の配置形態とを切り替えることを特徴とする。
【００１０】
また、この発明にかかる電気設備は、上記発明において、前記第１の配置形態において、前記板状部材が地面と略平行の状態を保つために、当該板状部材を支持する支持部材を備えたことを特徴とする。
【００１１】
また、この発明にかかる電気設備は、上記発明において、前記支持部材が、両端の一端を前記板状部材の他辺に取り付け、前記両端の他端を前記嵩上部材における前記板状部材の一辺の取り付け位置よりも下側に取り付けることを特徴とする。
【００１２】
また、この発明にかかる電気設備は、上記発明において、前記支持部材が、前記一端を前記板状部材の他辺に回動可能に取り付け、前記他端を前記嵩上部材に対して取り外し可能に取り付けることを特徴とする。
【００１３】
また、この発明にかかる電気設備は、上記発明において、前記第２の配置形態において、前記板状部材が地面と略垂直の状態を保つために、当該板状部材を固定する固定部材を備えたことを特徴とする。
【００１４】
また、この発明にかかる電気設備は、上記発明において、前記第１の配置形態において、前記板状部材の他辺に、地面と略垂直に取り付けられる落下防止用柵部材を備えたことを特徴とする。
【００１５】
また、この発明にかかる電気設備は、上記発明において、前記落下防止柵部材が、前記点検用架台に対して取り外し可能に取り付けることを特徴とする。
【００１６】
また、この発明にかかる電気設備は、上記発明において、前記第１の配置形態において、前記板状部材の長手方向の少なくともいずれか一方に、作業員が前記板状部材に上がるための梯子部材または階段部材を備えたことを特徴とする。
【００１７】
また、この発明にかかる電気設備は、上記発明において、前記梯子部材または前記階段部材が、前記点検用架台に対して取り外し可能に取り付けることを特徴とする。
【発明の効果】
【００１８】
この発明にかかる電気設備によれば、スイッチギヤを含む電気設備の設置位置周辺の敷地を有効に活用することができる。
【図面の簡単な説明】
【００１９】
【図１】この発明にかかる実施の形態の電気設備の構成の一例を示す説明図（正面図）である。
【図２】この発明にかかる実施の形態の電気設備の構成の一例を示す説明図（側面図）である。
【図３】この発明にかかる実施の形態の電気設備の別の構成の一例を示す説明図（正面図・側面図）である。
【図４】この発明にかかる実施の形態の電気設備の第１配置形態の状況の一例を示す説明図である。
【図５】この発明にかかる実施の形態の電気設備の第２配置形態の状況の一例を示す説明図である。
【図６】この発明にかかる実施の形態の電気設備の切替操作の手順を示す操作方法（マニュアル）表示部材の一例を示す説明図である。
【発明を実施するための形態】
【００２０】
以下に添付図面を参照して、この発明にかかる電気設備の好適な実施の形態を詳細に説明する。
【００２１】
（電気設備の概要）
まず、この発明にかかる実施の形態の電気設備１００の構成について説明する。図１および図２は、この発明にかかる実施の形態の電気設備の構成の一例を示す説明図である。図１は、電気設備１００の正面図を示している。図１の左側の正面図は、電気設備１００における「（ａ）第１配置形態」を示しており、図１の右側の正面図は、電気設備１００における「（ｂ）第２配置形態」を示している。
【００２２】
また、図２は、電気設備１００の側面図を示している。すなわち、図２の左側は、電気設備１００における「（ａ）第１配置形態」を示しており、図２の右側は、電気設備１００における「（ｂ）第２配置形態」を示している。したがって、図２の左側の「（ａ）第１配置形態」は、図１の矢印Ａの方向から見た電気設備１００の図であり、図２の右側の「（ｂ）第２配置形態」は、図１の矢印Ｂの方向から見た電気設備１００の図であり、図１の左側図と図２の左側図、図１の右側図と図２の右側図は、それぞれ対応していることを示している。
【００２３】
図１および図２において、電気設備１００は、スイッチギヤ１０１と、スイッチギヤ１０１を嵩上げする基礎となる嵩上部材の一例である嵩上架台１０２と、嵩上架台１０２によって嵩上げされたスイッチギヤ１０１の点検をおこなう際に用いられる、所定の高さになるように設けられた点検用架台１０３と、を備える。
【００２４】
スイッチギヤ１０１は、図示を省略する遮断器などの電気回路を収納する金属製の筐体である。スイッチギヤ１０１においては、２つの扉１０５を備えており、把手１０６を操作することによって、２つの扉１０５が、図１における手前側、すなわち、図２における左側に観音開きに開閉する。
【００２５】
嵩上架台１０２は、洪水などが発生した場合の、スイッチギヤ１０１の浸水対策のために設置された架台である。これにより、スイッチギヤ１０１を嵩上げすることができ、洪水などが発生したとしても、スイッチギヤ１０１の内部にまで浸水することを確実に防止する。そのため、嵩上架台１０２の高さは、洪水発生における水嵩を考慮して、決めるようにするとよい。具体的には、たとえば、５０ｃｍ程度の高さとするのがよい。ただし、この高さは必要に応じて任意に設定することができる。
【００２６】
嵩上架台１０２は、スイッチギヤ１０１を載置して、固定する必要があるため、スイッチギヤ１０１の重量に耐えることができ、また、スイッチギヤ１０１が容易に動いたり、傾いたりしないような硬質の材質であればよい。具体的には、嵩上架台１０２は、コンクリートなどの材質を用いることができる。
【００２７】
（点検用架台の内容）
点検用架台１０３は、スイッチギヤ１０１の点検の際に、作業員または所定の機器を載置する「足場」となる板状部材１０４を備えている。そして、その板状部材１０４を、地面と略平行にする「（ａ）第１配置形態」（図１および図２の左側図）と、板状部材１０４を、地面と略垂直にして、スイッチギヤ１０１の壁面、すなわち、扉１０５の面に近づける「（ｂ）第２配置形態」（図１および図２の右側図）とを切り替えて配置することができる。
【００２８】
図２（の左側図）からもわかるように、点検用架台１０３の板状部材１０４は、第１配置形態となるように配置した際に、扉１０５の下側がぶつかってしまわないように、扉１０５の設置の高さを調整する。これによって、扉１０５を観音開きとした際に、開閉に支障を来さないようにすることができる。
【００２９】
板状部材１０４の長手方向の長さは、スイッチギヤ１０１の幅方向、すなわち、スイッチギヤ１０１の２枚分の扉１０５の幅に対応している。具体的には、たとえば、２００ｃｍ程度であってもよい。
【００３０】
また、図１に示すように、板状部材１０４は、点検員（作業員）が一人で容易に折り畳めるよう重量などを勘案し、扉１０５の大きさなどに合わせて、２分割化するなどの工夫をおこなってもよい。すなわち、板状部材１０４の長手方向の長さは、スイッチギヤ１０１の１枚分の扉１０５の幅に対応させるようにしてもよい。具体的には、たとえば、１００ｃｍ程度であってもよい。その板状部材１０４を２枚並べて配置する。これにより、簡易にかつ迅速に架台の設置・撤去（折り畳み）をすることができる。
【００３１】
また、板状部材１０４の長手方向に直行する方向の長さは、点検員の作業性を考慮して決めることができる。具体的には、５０ｃｍ〜６０ｃｍ程度であってもよい。また、点検作業の内容、スイッチギヤ１０１の大きさや種類などによって、この長さを設定するとよい。
【００３２】
また、図２からもわかるように、板状部材１０４の一辺を嵩上部材１０２に、軸Ｘによって軸付けされている。そして、板状部材１０４が軸Ｘを支点として回動可能に取り付けられている。これにより、板状部材１０４の一辺を嵩上部材１０２に、板状部材１０４が当該一辺を軸として回動可能に取り付けることができる。そして、軸Ｘを支点として、板状部材１０４を回動させることによって、「（ａ）第１配置形態」と「（ｂ）第２配置形態」とを切り替えることができる。
【００３３】
また、図２（の左側図）からもわかるように、第１配置形態において、板状部材１０４が地面と略平行の状態を保つために、板状部材１０４を支持する支持部材１０７を備えていてもよい。
【００３４】
この支持部材１０７は、両端の一端を板状部材１０４の他辺（図２の左側図のＹ付近）に取り付ける。また、両端の他端Ｚを嵩上部材１０２における板状部材１０４の一辺の取り付け位置（図２のＴ１付近）よりも下側（図２の左側図のＴ２付近）に取り付けるようにしてもよい。
【００３５】
また、この支持部材１０７は、一端を板状部材の他辺に（軸Ｙを支点として）回動可能に取り付ける。また、（図２の左側図のＴ２付近において）他端Ｚを嵩上部材１０２に対して取り外し可能に取り付けるようにしてもよい。
【００３６】
さらに、図２の右側図に示すように、第２配置形態において、板状部材１０４が地面と略垂直の状態を保つために、板状部材１０４を固定する固定部材を備えていてもよい。固定部材は、板状部材１０４が、板状部材１０４が地面と略垂直の状態を保つことができれば、いかなるものであってもよい。
【００３７】
たとえば、軸Ｘにロック機構を備えて、軸Ｘの回動を抑制するものであってもよく、また、板状部材１０４を、嵩上げ部材１０２あるいはスイッチギヤ１０１の所定箇所に引っ掛けて固定して、板状部材１０４の動きを規制する固定具であってもよい。固定具は、たとえばロックピンなどの固定機能を備えた治具であってもよい。
【００３８】
また、固定部材は、板状部材１０４とともに、支持部材１０７が、第２配置形態において不用意に回動しないように、あわせて、固定するものであってもよい。固定方法は、いかなるものであってもよい。
【００３９】
このように、点検用架台１０３は、板状部材１０４を、折り畳むことができる構造としており、それにより、点検をおこなわないときは、点検用架台１０３の敷地を広げることができ、敷地の有効利用を図ることができる。
【００４０】
（フェンス（落下防止用部材）の内容）
図３は、この発明にかかる実施の形態の電気設備の別の構成の一例を示す説明図（正面図・側面図）である。図３において、左側図は、電気設備１００の正面図であり、右側図は、右側面図である。
【００４１】
図３において、電気設備１００は、第１形態において、落下防止用柵部材の一例であるフェンス３０１を備えている。具体的には、図３の右側図に示すように、第１配置形態において、板状部材１０４の他辺、すなわちＹ軸付近に、地面と略垂直に取り付けられるフェンス３０１を備える。
【００４２】
フェンス３０１は、板状部材の長手方向に沿って設置される。フェンス３０１の高さは、点検員が板状部材１０４の上に立った状態で、落下を確実に防止するために、点検員の腰の高さ以上の高さとするのがよい。具体的には、たとえば、１００ｃｍ以上とするのがよい。フェンス３０１の高さは、これに限定されるものではなく、任意に設定するようにしてもよい。
【００４３】
また、フェンス３０１は、点検員や所定の機器が容易に脱落しない程度の幅の格子を備えている。格子の幅や格子の形状は、図３に示したものに限定されない。フェンス３０１の材質、フェンス３０１の使用の状況などを考慮して、格子の幅や格子の形状を決めるようにすればよい。
【００４４】
フェンス３０１は、点検用架台１０３に対して取り外し可能に取り付けるようにしてもよい。したがって、第１配置形態から第２配置形態へ切り替える際には、まず、フェンス３０１を点検用架台１０３から取り外し、その後、第２の配置形態へ切り替えるようにすればよい。
【００４５】
フェンス３０１は、板状部材１０４の上に乗った点検員が当該フェンス３０１に触れても（軽くのし掛かっても）、容易に外側（すなわち図３の右側図における左側）へ倒れたり変形したりしない程度の強度が必要である。フェンス３０１の材質は、点検員の身体を支えられるほどの強度が必要であるだけでなく、取り付けたり、取り外したり、取り外して、保管場所まで移動させることを考慮すると、軽量であることが望ましい。フェンス３０１の材質は、具体的には、たとえば、軽量かつ強度のあるアルミニウムなどであってもよい。
【００４６】
フェンス３０１は、取り外し可能に取り付けるために、具体的には、たとえば、板状部材１０４の所定の箇所に凹部、すなわち、溝あるいは穴を設ける。そして、フェンス３０１において板状部材１０４に接する部分に、板状部材１０４の溝あるいは穴に対して挿入する凸部、すなわち突起を設けるようにする。
【００４７】
フェンス３０１を板状部材１０４に取り付ける際には、フェンス３０１の凸部を板状部材１０４の凹部に挿入して固定する。固定する際は、凸部が凹部から抜け出ないように、脱落防止機構などを設けるようにしてもよい。
【００４８】
また、フェンス３０１を板状部材１０４から取り外す際には、脱落防止機能を解除してから、板状部材１０４の凹部に挿入して固定されたフェンス３０１の凸部をそこから引き抜くようにすればよい。取り外されたフェンス３０１は、あらかじめ定められた保管場所に保管するようにするとよい。
【００４９】
このように、フェンス（落下防止用柵部材）３０１は、板状部材１０４のスイッチギヤ１０１の扉１０５側とは反対側の端に、略垂直方向に設けられ、点検員が板状部材１０４から地面に落下するのを確実に防止することができる。
【００５０】
（梯子部材または階段部材の内容）
図３において、電気設備１００は、第１形態において、梯子部材３０２を備えている。具体的には、図３の左図に示すように、第１配置形態において、板状部材１０４の右端に、地面と板状部材１０４とを結ぶように梯子部材３０２を備える。図３においては、板状部材１０４の右端に設けられているが、これに限定されるものではない。したがって、梯子部材３０２は、板状部材１０４の左端に設けられていてもよく、また、左右の両端にそれぞれ設けられていてもよい。
【００５１】
梯子部材３０２は、点検員が板状部材１０４の上に上がるためのものである。したがって、梯子形状に限定されない。梯子部材３０２に代えて、図示は省略するが、階段形状の階段部材であってもよい。
【００５２】
梯子部材３０２は、一端が板状部材１０４の右端に固定され、他端が地面に当接している所定の長さの２本の棒状部材３０３の間に、板状部材１０４までの高さに応じて、所定数の横棒部材３０４を備える。図３の右側図においては、３本の横棒部材３０４を備えている。
【００５３】
棒状部材３０３の地面との角度および横棒部材３０４の間隔は、嵩上架台１０２の高さや、点検員の上がりやすさなどを考慮して決めるようにすればよい。具体的には、棒状部材３０３の地面との角度は、３０度から４５度程度が望ましいが、その角度には限定されない。また、横棒部材３０４の間隔は、具体的には、３本〜４本程度が望ましいが、その本数には限定されない。
【００５４】
また、図示は省略するが梯子部材３０２には、手すりを設けるようにしてもよい。手すりの高さは、フェンス３０１と同じ高さにしてもよい。手すりは、点検員が容易に落下しない程度の幅の格子を備えていてもよい。手すりの材質、手すり３０１の使用の状況などを考慮して、格子の幅や格子の形状を決めるようにすればよい。これにより、点検員が、より安全に、梯子部材３０３の上り・下りをおこなうことができる。
【００５５】
梯子部材３０２は、点検用架台１０３に対して取り外し可能に取り付けるようにしてもよい。したがって、第１配置形態から第２配置形態へ切り替える際には、まず、梯子部材３０２を点検用架台１０３から取り外し、その後、第２の配置形態へ切り替えるようにすればよい。
【００５６】
梯子部材３０２は、横棒部材３０４の上に点検員が乗っても変形しない程度の強度が必要である。梯子部材３０２の材質は、点検員の体重を支えられるほどの強度が必要であるだけでなく、取り付けたり、取り外したり、取り外して、保管場所まで移動させることを考慮すると、軽量であることが望ましい。梯子部材３０２の材質は、具体的には、たとえば、軽量かつ強度のあるアルミニウムなどであってもよい。
【００５７】
梯子部材３０２は、取り外し可能に取り付けるために、具体的には、たとえば、板状部材１０４の所定の箇所に凹部、すなわち、溝あるいは穴を設ける。そして、梯子部材３０２において板状部材１０４に接する部分に、板状部材１０４の溝あるいは穴に対して挿入する凸部、すなわち突起を設けるようにする。
【００５８】
梯子部材３０２を板状部材１０４に取り付ける際には、梯子部材３０２の凸部を板状部材１０４の凹部に挿入して固定する。固定する際は、凸部が凹部から抜け出ないように、脱落防止機構などを設けるようにしてもよい。
【００５９】
また、梯子部材３０２を板状部材１０４から取り外す際には、脱落防止機能を解除してから、板状部材１０４の凹部に挿入して固定された梯子部材３０２の凸部をそこから引き抜くようにすればよい。取り外された梯子部材３０２は、フェンス３０１と同様に、あらかじめ定められた保管場所に保管するようにするとよい。
【００６０】
（電気設備の具体的な設置例）
図４は、この発明にかかる実施の形態の電気設備の第１配置形態の状況の一例を示す説明図であり、図５は、この発明にかかる実施の形態の電気設備の第２配置形態の状況の一例を示す説明図である。
【００６１】
図４において、点検用架台１０３は、作業員または所定の機器を載置する板状部材１０４を、地面と略平行にする第１配置形態となっており、さらに、フェンス３０１（落下防止用柵部材）と、梯子部材３０２とが取り付けられていることがわかる。この第１配置形態において、作業員（点検員）は、梯子部材３０２から点検用架台１０３の板状部材１０４の上に上がり、把手１０６を操作して、スイッチギヤ１０１の扉１０５を観音開きに開いて、点検作業を開始する。
【００６２】
一方、図５においては、板状部材１０４を、地面と略垂直にしてスイッチギヤ１０１の壁面（扉１０５）に近づける第２配置形態となっている。図５からもわかるように、第１配置形態において占有していた空間ができるため、施設全体の敷地面積を圧迫することなく、その空間（敷地）を有効利用できることがわかる。有効利用には、たとえば、大型車両が通行することなどがある。
【００６３】
（操作方法表示部材の内容）
図６は、この発明にかかる実施の形態の電気設備の切替操作の手順を示す操作方法（マニュアル）表示部材の一例を示す説明図である。図６において、操作方法（マニュアル）表示部材６００には、第１配置態様から第２配置態様への切り替えに関する操作方法を図式化して示している。
【００６４】
操作方法（マニュアル）表示部材６００には、４つの図が示されている。１番左側の図は、第１配置態様において、フェンス３０１と梯子部材３０２とを取り外した後に、作業者（点検者）が、板状部材１０４の他端（Ｙ付近）を掴んでいる状態である。
【００６５】
つぎに、その隣の図（左から２番目の図）に移り、当該図においては、作業者は、支持部材１０７を両手で掴んで、板状部材１０４を跳ね上げている状態を示している。板状部材１０４は跳ね上げられることによって、水平方向から垂直方向へ回動しながら、スイッチギヤ１０１の扉１０５に近づいていく。
【００６６】
さらに、その隣の図（左から３番目の図）に移り、当該図においては、作業者は、板状部材１０４を略垂直方向に立てている状態を示している。そして、支持部材１０７を折り畳んで板状部材１０４に近づける。
【００６７】
その後、その隣の図（一番右の図）に移り、固定具によって、板状部材１０４および支持部材１０７を固定することで、第２配置形態とすることができる。したがって、第２配置形態から第１配置形態とする場合は、一番右の図から順番に左側の図に示された操作方法によりおこなうようにすればよい。
【００６８】
図６に示すように、この操作方法（マニュアル）表示部材６００に示された方法により操作をおこなうことによって、作業者は、容易にかつ迅速に、第１配置形態から第２配置形態へと、また、第２配置形態から第１配置形態へと切り替え操作をおこなうことができる。
【００６９】
この操作方法（マニュアル）表示部材６００は、この電気設備１００のいずれか、具体的には、たとえば、スイッチギヤ１０１、嵩上架台１０２、あるいは、点検用架台１０３のいずれかの位置であって、作業者が容易に確認できる位置に取り付ける（貼り付ける）ようにするとよい。
【００７０】
以上説明したように、この発明にかかる実施の形態の電気設備１００は、スイッチギヤ１０１と、スイッチギヤ１０１を嵩上げする嵩上架台１０２と、嵩上架台１０２によって嵩上げされたスイッチギヤ１０１の点検をおこなう際に、所定の高さに設けられる点検用架台１０３と、を備え、点検用架台１０３が、作業員または所定の機器を載置する板状部材１０４を、地面と略平行にする第１配置形態と、当該板状部材１０４を、地面と略垂直にしてスイッチギヤ１０１の壁面（扉１０５）に近づける第２配置形態とを切り替えて配置するので、点検しないときは、点検用架台１０３を折り畳むことができ、その分の空間を広げることができ、それによって、スイッチギヤ１０１を含む電気設備１００の設置位置周辺の敷地を有効に活用することができる。
【００７１】
また、この発明にかかる実施の形態の電気設備１００は、板状部材１０４の一辺を嵩上架台１０２に、板状部材１０４が当該一辺を軸として回動可能に取り付け、板状部材１０４を回動させることによって、第１配置形態と第２配置形態とを切り替えるので、板状部材１０４を回動させるという簡単な操作で、迅速にかつ容易に、第１配置形態と第２配置形態との切り替えが可能となる。
【００７２】
また、この発明にかかる実施の形態の電気設備１００は、第１配置形態において、板状部材１０４が地面と略平行の状態を保つために、板状部材１０４を支持する支持部材１０７を備える。たとえば、支持部材１０７が、両端の一端を板状部材１０７の他辺に取り付け、両端の他端を嵩上架台１０２における板状部材１０４の一辺の取り付け位置よりも下側に取り付けるので、点検用架台１０３にかかる重さ（作業員の体重、所定の機器の重さ）をより確実に支えることができる。
【００７３】
また、この発明にかかる実施の形態の電気設備１００は、支持部材１０７が、一端を板状部材１０４の他辺に回動可能に取り付け、他端を嵩上架台１０２に対して取り外し可能に取り付けるので、板状部材１０４を跳ね上げる操作をより容易におこなうことができる。また、支持部材１０７を、板状部材１０４と合わせて折り畳んで収納することができる。
【００７４】
また、この発明にかかる実施の形態の電気設備１００は、第２配置形態において、板状部材１０４が地面と略垂直の状態を保つために、板状部材１０４を固定する固定具（ロックピンなど）を備えるので、折り畳んだ点検用架台１０３を確実に固定することができ、不用意に板状部材１０４が開いてしまうことがないようにすることができる。
【００７５】
また、この発明にかかる実施の形態の電気設備１００は、第１配置形態において、板状部材１０４の他辺に、地面と略垂直に取り付けられるフェンス（落下防止用柵部材）３０１を備えるので、点検作業の際における点検員の安全を確保することができる。
【００７６】
また、この発明にかかる実施の形態の電気設備１００は、フェンス３０１が、点検用架台１０３に対して取り外し可能に取り付けるので、点検用架台１０３をよりコンパクトに折り畳むことができ、その分、電気設備１００の設置位置周辺の敷地を有効に活用することができる。
【００７７】
また、この発明にかかる実施の形態の電気設備１００は、第１配置形態において、板状部材１０４の長手方向の少なくともいずれか一方に、作業員が前記板状部材に上がるための梯子部材または階段部材を備えるので、点検の際における点検員の点検用架台１０３の上り下りを容易にすることができる。
【００７８】
また、この発明にかかる実施の形態の電気設備１００は、梯子部材３０２（または階段部材）が、点検用架台１０３に対して取り外し可能に取り付けるので、点検用架台１０３をよりコンパクトに折り畳むことができ、その分、電気設備１００の設置位置周辺の敷地を有効に活用することができる。
【産業上の利用可能性】
【００７９】
以上のように、この発明にかかる電気設備は、スイッチギヤを含む電気設備であり、特に、スイッチギヤを嵩上げする嵩上部材を備えた電気設備の設置位置周辺の敷地を有効に活用することができる電気設備に適している。
【符号の説明】
【００８０】
１００  電気設備
１０１  スイッチギヤ
１０２  嵩上架台（嵩上げ部材）
１０３  点検用架台
１０４  板状部材
１０５  扉
１０６  把手
１０７  支持部材
３０１  フェンス（落下防止用柵部材）
３０２  梯子部材
３０３  棒状部材
３０４  横棒部材
６００  操作方法（マニュアル）表示部材
【図１】
2020162332.tif 000003
【図２】
2020162332.tif 000004
【図３】
2020162332.tif 000005
【図４】
2020162332.tif 000006
【図５】
2020162332.tif 000007
【図６】
2020162332.tif 000008